(57)【要約】【課題】製造コストを安価にできると共に意匠面の見栄えを良くすることができる表示装置を提供する。【解決手段】光源１４によって背面側から照明される透光性の基板３２と、基板３２の表面側に設けられ、所定位置に抜き数字等の形の開口部を形成した遮光性の表面層１８と、基板３２と表面層１８との間に形成された明度が高い色の半透光性の意匠層２０とが設けられ、表面層１８の開口部から意匠層２０が露出する第１のマーク部２２と、表面層１８の開口部内に所定色の半透光性の着色層２４が形成された第２のマーク部２６とを少なくとも備えた表示装置であって、基板３２を第１のマーク部２２を照明する所望の照明色を得られる所定の色に着色すると共に、基板３２について第２のマーク部２６に対応する位置に薄肉部３４を設けたことを特徴とする。【選択図】　図１
2004094102.tif 000002
【特許請求の範囲】
【請求項１】
光源によって背面側から照明される透光性の基板と、該基板の表面側に設けられ、所定位置に抜き数字や抜き文字や抜き模様の形の開口部を形成した遮光性の表面層と、前記基板と前記表面層との間に形成された明度が高い色の半透光性の意匠層とが設けられ、
前記表面層の開口部から前記意匠層が露出する第１のマーク部と、前記表面層の開口部内に所定色の半透光性の着色層が形成された第２のマーク部とを少なくとも備えた表示装置であって、
前記基板を前記第１のマーク部を照明する所望の照明色を得られる所定の色に着色すると共に、前記基板について前記第２のマーク部に対応する位置に薄肉部または貫通穴を設けたことを特徴とする表示装置。
【請求項２】
前記基板の色相は濃色であることを特徴とする請求項１に記載の表示装置。
【発明の詳細な説明】
【０００１】
【発明の属する技術分野】
本発明は、例えば車両等に搭載されるヒーターコントロール装置の表示パネルに用いられる表示装置に関する。
【０００２】
【従来の技術】
【特許文献１】
なし
【０００３】
従来、例えば図３に示すような車両等に搭載されるヒーターコントロール装置１０の表示パネルにおいて、色が違う複数のマーク（数字、文字、模様など）を単一の光源で照明するようにしたものが知られている。
【０００４】
図４は、ヒーターコントロール装置１０の表示パネル１２の拡大部分断面を示す。この表示パネル１２には、光源１４によって背面側から白色光が照明される透明合成樹脂成形品である透光性の基板１６と、この基板１６の表面側に設けられ、所定位置に抜き数字や抜き文字や抜き模様の形の開口部を形成した例えば黒印刷層からなる遮光性の表面層１８と、前記基板１６と前記表面層１８との間に形成された例えば白色印刷層からなる明度が高い色の半透光性の意匠層２０とが設けられている。
【０００５】
前記表面層１８は、数字や文字や模様などの形の開口部から前記意匠層２０が露出する第１のマーク部２２と、前記表面層１８の開口部内に青色、赤色またはオレンジ色などの所定色の半透光性の着色層２４が形成された第２のマーク部２６とを少なくとも備えている。
【０００６】
上記のように構成される表示パネル１２において、第１のマーク部２２は、光源１４が非点灯時である昼間には開口部から露出する意匠層２０の色である白色に見え、光源１４の点灯時には意匠層２０を透過する光源１４の光によって白色に照明される。また、第２のマーク部２６は、光源１４が非点灯時である昼間には開口部内に形成された着色層２４の色である例えば赤色に見え、光源１４の点灯時には着色層２４を透過する光源１４の光によって例えば赤色に照明されることになる。
【０００７】
このように第１のマーク部２２は光源１４の点灯にかかわらず意匠層２０の色（すなわち白色）に見えるのが通常であるが、表示パネルによっては第１のマーク部２２を昼間は意匠層２０の色に見えるが光源点灯時には別の色（例えば赤色）に照明されるようにしたものもある。
【０００８】
上述したように光源の非点灯時と点灯時とで第１のマーク部２２の色を変える方法として、光源１４に着色シリコンキャップを被せたり、あるいは、基板１６を着色したりすることによって第１のマーク部２２を透過する照明光を着色する方法がある。しかし、この方法では、着色された照明光が例えば赤色などの濃色である場合には、この濃色照明光によって第２のマーク部２６が着色層２４を介して照明されるために混色や輝度低下が発生し、第２のマーク部２６について所望の色調や輝度が得られるなくなるという不具合があった。
【０００９】
そこで、このような不具合を生じさせることなく光源の非点灯時と点灯時とで第１のマーク部２２の色を変えるために、図５に示すような構成の表示パネル１３が従来実施されていた。この表示パネル１３の構成において上述した表示パネル１２と異なるところは、第１のマーク部２２に対応する位置で基板１６と意匠層２０との間に例えば赤色の照明着色印刷部２８を設けた点だけである。このように照明着色部２８を設けることによって、光源１４からの白色照明光が照明着色印刷部２８を透過することによって赤色に着色されるため、第１のマーク部２２は光源点灯時には赤色に照明されることになる。その一方、第２のマーク部２２は、光源１４からの照明光が白色であるために所望の色調および輝度で照明されることになる。
【００１０】
【発明が解決しようとする課題】
しかしながら、図５に示す構成の表示パネル１３では、照明着色印刷部２８を形成する印刷工程が１つ増えるために製造コストがその分高くなると共に、照明着色印刷部２８を設けたことで第１のマーク部２２が盛り上がり意匠面の見栄えが悪くなるという問題があった。
【００１１】
【課題を解決するための手段】
そこで、前記問題を解決するために本発明は、光源によって背面側から照明される透光性の基板と、該基板の表面側に設けられ、所定位置に抜き数字や抜き文字や抜き模様の形の開口部を形成した遮光性の表面層と、前記基板と前記表面層との間に形成された明度が高い色の半透光性の意匠層とが設けられ、
前記表面層の開口部から前記意匠層が露出する第１のマーク部と、前記表面層の開口部内に所定色の半透光性の着色層が形成された第２のマーク部とを少なくとも備えた表示装置であって、
前記基板を前記第１のマーク部を照明する所望の照明色を得られる所定の色に着色すると共に、前記基板について前記第２のマーク部に対応する位置に薄肉部または貫通穴を設けたことを特徴とするものである。
【００１２】
このような構成からなる表示装置では、第１のマーク部は、光源非点灯時の昼間には意匠層の色に見える一方で、光源点灯時には光源からの照明光が着色された基板を透過することによって所定の色に着色されるためにこの着色照明光によって照明されることで意匠層とは異なる所望の色に見える。また、第２のマーク部については、光源からの照明光が着色された基板の薄肉部または貫通穴を透過してもほとんど又はまったく着色されないことから着色層の色で照明されることになり、第２のマーク部が照明されたときの色調や輝度に影響を及ぼすことがない。
【００１３】
したがって、本発明の表示装置によれば、図５を参照して説明した表示パネルのように第１のマーク部用の照明着色印刷部を基板と意匠層との間に設ける必要がないため、１つの印刷工程が省けて製造コストを安価にできると共に、第１のマーク部の盛り上がりを無くすことができ意匠面の見栄えを良くすることができる。
【００１４】
本発明の表示装置において、前記基板の色相は濃色であることが好ましい。
このように基板の色相が濃色である場合には、基板の薄肉部または貫通穴において透過する光の変色を抑える効果がより顕著になる。
【００１５】
【発明の実施の形態】
以下、本発明の実施の形態について添付図面を参照して説明する。
図１は、本発明の表示装置の一実施形態である表示パネル３０の部分断面拡大図である。この表示パネル３０は、図３に示すような車両等に搭載されるヒーターコントロール装置１０などに用いられる。
【００１６】
表示パネル３０には、光源１４によって背面側から白色光が照明される例えば合成樹脂成形品である透光性の基板３２と、この基板３２の表面側に設けられ、所定位置に抜き数字や抜き文字や抜き模様の形の開口部を形成した例えば黒印刷層からなる遮光性の表面層１８と、前記基板３２と前記表面層１８との間に形成された例えば白色印刷層からなる明度が高い色の半透光性の意匠層２０とが設けられている。
【００１７】
前記表面層１８は、数字や文字や模様などの形の開口部から前記意匠層２０が露出する第１のマーク部２２と、表面層１８の前記開口部内に青色、赤色またはオレンジ色などの所定色の半透光性の着色層２４が印刷形成された第２のマーク部２６とを少なくとも備えている。
【００１８】
基板３２は、第１のマーク部２２を照明する所望の照明色を得られる所定の色（例えば赤色）に着色されている。基板３２の色相は、例えば赤色や青色などの濃色であることが好ましい。また、基板３２には、第２のマーク部２６に対応する位置に薄肉部３４が設けられている。
【００１９】
なお、図２に示すように、基板３２には薄肉部３４に代えて貫通穴３６を設けてもよい。この場合、貫通穴３６には意匠層２０の印刷が出来ないこととなるので、基板３２上に透明フィルム３８を設けてその上に意匠層２０を印刷すればよい。
【００２０】
上記構成からなる表示パネル３０では、第１のマーク部２２は、光源１４の非点灯時である昼間には意匠層２０の白色に見える一方で、光源１４の点灯時には光源１４からの照明光が赤色に着色された基板３２を透過することによって赤色に着色されるためにこの着色照明光によって照明されることで意匠層２０の色とは異なる赤色に見える。また、第２のマーク部２６については、光源１４からの照明光が赤色に着色された基板３２の薄肉部３４または貫通穴３６を透過してもほとんど又はまったく着色されないことから着色層２４の色で照明されることになり、第２のマーク部２６が照明されたときの色調や輝度に影響を及ぼすことがない。
【００２１】
したがって、表示パネル３０によれば、図５を参照して説明した従来例の表示パネル１３のように第１のマーク部２２用の照明着色印刷部２８を基板３２と意匠層２０との間に設ける必要がないため、１つの印刷工程が省けて製造コストを安価にできると共に、第１のマーク部２２の盛り上がりを無くすことができ意匠面の見栄えを良くすることができる。
【００２２】
また、基板３２の色相が濃色である場合には、基板３２の薄肉部３４または貫通穴３６において透過する光の変色を抑える効果がより顕著になる。
【００２３】
【発明の効果】
以上の説明から明らかなように本発明によれば、印刷工程を省略できることで製造コストを安価にできると共に、第１のマーク部の盛り上がりを無くせて意匠面の見栄えを良くすることができる。
【図面の簡単な説明】
【図１】本発明の一実施形態の表示パネルの部分断面拡大図。
【図２】図１の表示パネルの変形例を示す部分拡大断面図。
【図３】車両等に搭載されるヒーターコントロール装置の正面図。
【図４】従来の表示パネルの一例を示す部分断面拡大図。
【図５】従来の表示パネルの別の例を示す部分断面拡大図。
【符号の説明】
１４…光源、１８…表面層、２０…意匠層、２２…第１のマーク部、２４…着色層、２６…第２のマーク部、３２…基板、３４…薄肉部、３６…貫通穴。
【図１】
2004094102.tif 000003
【図２】
2004094102.tif 000004
【図３】
2004094102.tif 000005
【図４】
2004094102.tif 000006
【図５】
2004094102.tif 000007